【事件の表示】
　特願２００９−２２４０７１「文字入力装置、文字入力方法および文字入力プログラム」拒絶査定不服審判事件〔平成２３年　４月１４日出願公開、特開２０１１−　７６１７３〕について、次のとおり審決する。
【結　論】
　本件審判の請求は、成り立たない。
【理　由】
第１　手続きの経緯
　本願は、平成２１年９月２９日を出願日とする出願であり、平成２４年５月２１日付けで拒絶査定がなされ、それに対して同年７月１２日に拒絶査定不服の審判請求がなされるとともに手続補正書が提出されたものである。
　　　
第２　補正却下の決定
　平成２４年７月１２日に提出された手続補正書による補正の却下の決定
　　
（１）［補正却下の決定の結論］
　平成２４年７月１２日に提出された手続補正書による補正（以下、「本件補正」という。）を却下する。
　　
（２）［補正却下の決定の理由］
（ａ）補正の内容
　本件補正によると、その特許請求の範囲の請求項１は、
「ディスプレイと、
　このディスプレイに文字入力用の複数のキーを仮想キーボードとして表示する仮想キーボード表示手段と、
　この仮想キーボード表示手段により表示された仮想キーボードにおける前記文字入力用の複数のキーの中から押下されたキーを検知するキー押下検知手段と、
　このキー押下検知手段が押下を検知したキーの中心から外れた予め定めた複数の領域のうちのどの領域が押下されたかを判別する領域判別手段と、
　前記文字入力用の複数のキーの配置との関係で前記領域判別手段で判別した領域に隣接するキーがあるときこれを特定する隣接キー特定手段と、
　この隣接キー特定手段により特定されたキーと前記キー押下検知手段により検知されたキーとを拡大した形で表示する拡大表示手段と、
　この拡大表示手段で拡大表示されたキーのいずれかを押下したときその座標位置から入力されたキーを特定する入力キー特定手段と、
　前記領域判別手段で判別した領域に隣接するキーがないとき、前記キー押下検知手段によって検知したキーを入力されたキーとして特定する隣接キー不存在時キー特定手段
とを具備することを特徴とする文字入力装置。」
と補正されている。　
　　　
　上記補正は、本件補正前の請求項１に記載された「このキー押下検知手段が押下を検知したキーにおける予め定めた複数の領域のどの位置が押下されたかを判別する領域判別手段」を「このキー押下検知手段が押下を検知したキーの中心から外れた予め定めた複数の領域のうちのどの領域が押下されたかを判別する領域判別手段」とするものであり、本件補正は、特許法第１７条の２第４項第２号に規定する特許請求の範囲の減縮を目的とするものに該当する。
　そこで、本件補正後の前記請求項１に記載された発明（以下、「本願補正発明」という。）が、特許出願の際独立して特許を受けることができるものであるか（特許法第１７条の２第６項において準用する同法第１２６条第７項の規定に適合するか）否かについて以下検討する。
　
（ｂ）引用文献
　原査定の拒絶の理由に引用された特開２００９−１２９４４３号公報（以下、「引用文献」という。）には、図とともに次のように開示されている。
（ア）「【００３３】
　
第２実施形態
　図９は本発明の第２実施形態のタッチスクリーン付きＰＤＡの入力受信システム、特に入力受信システムに使用される入力受信方法を示すフローチャートであり、また、図１０〜図１３に示すのは該入力受信方法に沿って制御されるタッチスクリーン付きＰＤＡ（電子装置）１のタッチスクリーン１１の画面を示している。以下、図９に示すフローチャートと図１０〜図１３に示す画面をあわせて参照しながらこの第２実施形態について詳しく説明する。
【００３４】
　
方法の説明
　ステップ３０１で、タッチスクリーンの画面上に入力待ち受け箇所を表示する。図１０に示すように、この実施形態では、入力待ち受け箇所としてアルファベットを入力するキーボード１１０が表示されている。
【００３５】
　ステップ３０２で、ユーザーが前記入力待ち受け箇所としてのキーボード１１０にタッチしたことを感知したか否かを判定する。肯定判定ならば、ステップ３０３に進む。否定判定ならば、ステップ３０２で待機する。ステップ３０３で、タッチした箇所がいずれかのキーが表示されている箇所であるか否かを確認する処理を行う。確認されたならば、ステップ３０４に進む。確認されなかったならば、ステップ３０２に戻る。
【００３６】
　ステップ３０３で、ユーザーによりタッチされた箇所が確かにキーが表示されている箇所であると判断した場合、ステップ３０４で、該タッチした箇所に対応する画像を、元の画像とは別に拡大して表示する。例えば、図１１に示すように、該タッチした箇所（Ｄキー）に対応するアルファベットが表示される所定範囲の画像を、元の画像と別に拡大してユーザーがタッチした位置の上側当りの位置で表示して、該拡大した画像でユーザーの確定命令を待つ。
【００３７】
　ステップ３０５で、ユーザーがさっきタッチしたタッチ箇所に更に重くタッチしたことが確認されたか（確定命令）否かを判定する。肯定判定されて確定命令を受けると、ステップ３０６に進む。否定判定ならば、ステップＳ３０２に戻る。ここで、重くタッチしたことは図１中のステップ１０４と同様にして行う。
【００３８】
　ステップ３０６で、ユーザーによりタッチされた箇所が対応する処理、例えば、ユーザーによりタッチされた箇所に表示されるアルファベットを入力する処理を行う。この実施形態において、ユーザーが図１２に示すように、さっきタッチしたタッチ箇所（Ｄキー）に更に重くタッチすることをステップ３０５における確定命令として認知し、タッチされた箇所（Ｄキー）に対応する処理を行う。タッチされた箇所（キー）に対応する処理とは、該箇所に表示されるアルファベットを入力する処理である。ここで、重くタッチしたことは図１中のステップ１０４と同様にして行う。」（段落【００３３】〜【００３８】）
　　
（イ）「【００４３】
　更に、図２２〜図２５は上記第２実施形態のもう一つの変形例である。
【００４４】
　図２２はこの変形例のタッチスクリーンの入力受信方法を示すフローチャートであり、また、図２３〜図２５に示すのは該入力受信方法に沿って制御されるタッチスクリーン付き電子装置１のタッチスクリーン１１の画面を示している。以下は図２２に示すフローチャートに沿ってこの変形例について詳しく説明する。
【００４５】
　ステップ３１１で、タッチスクリーンの画面上に入力待ち受け箇所を表示する。図２３に示すように、この実施形態では、入力待ち受け箇所としてアルファベットを入力するキーボード１１０が表示されている。更に、画面上に表示されるキーボード１１０の各キーについて、それぞれ中心部当りに位置する第１の感知区画１１４と、その周縁部当りに位置して前記第１の感知区画１１４を囲む第２の感知区画１１５と、該いずれかのキーと隣りのキーとの間に、該隣りのキーの第３の感知区画１１６を共有する第３の感知区画１１６とが予めに定められている。
【００４６】
　ステップＳ３１２で、ユーザーが前記入力待ち受け箇所としてのキーボード１１０にタッチしたことを感知すると、ステップ３１３に進んでタッチした箇所がどのキーのどの感知区画であるか否かを確認する処理を行う。いずれかのキーの第１の感知区画１１４がタッチされたと判断すると、ステップ３１４に進んでタッチされた箇所（キー）に対応する処理、即ち該箇所に表示されるアルファベットを入力する処理を行う。また、いずれかのキーの第２の感知区画１１５または第３の感知区画１１６がタッチされたと判断するとステップ３１５に進む。
【００４７】
　ステップ３１５で、該タッチされた第２の感知区画１１５または第３の感知区画１１６が所属するキー、及び該キーについての第２の感知区画１１５または第３の感知区画１１６の隣りにあるキーの対応するキーの画像を拡大サイズでタッチされた位置の上側に表示し、該拡大したキーの画像でユーザーの確定命令を待つ。例えば、図２４に示すように、Ｆキー、及び第３の感知区画１１６を共有する隣りにあるＤキーの画像を拡大サイズでタッチされた位置の上側に表示し、該拡大したキーの画像でユーザーの確定命令を待つ。
【００４８】
　ステップ３１６で、ユーザーがタッチスクリーン１１をタッチしたまま、いずれかの拡大画像の表示された位置へタッチが移動したことを感知されたか否かを判定する。肯定判定ならば、ステップ３１７に進む。否定判定ならば、ステップＳ３１２に戻る。ステップ３１７で、移動先の方にある拡大画像に対応するキーを入力する処理を行う。例えば、図２５に示すように、いずれかの拡大画像の表示された位置、例えば、Ｆキーへ移動することを感知すると、該移動先の方にある拡大表示に対応するＦキーを入力する確定命令として認知し、ステップ３１７に進んで該移動先にある拡大画像の表示するアルファベットＦを入力する処理を行う。」（段落【００４３】〜【００４８】）
　　　　　
（ウ）「【００４９】
　
システム及び装置の説明
　前記説明は入力受信方法を中心として説明したが、以下、図２１及び図９をあわせて参照し、そのシステム及び装置の説明をする。
【００５０】
　本発明の第１実施形態及び第２実施形態のシステム及び装置に必要な構成は同じであるため、重複の説明を省略する。
【００５１】
　ステップ３０１で、タッチスクリーン手段５００はプロセッサ手段６００の制御の元で図１０のようにタッチスクリーン１１の画面上にキーボード１１０を表示する。
【００５２】
　ステップ３０２で、タッチスクリーン１１の画面がタッチされると、タッチスクリーン手段５００はタッチされた位置によって異なる出力信号をプロセッサ手段６００の感知判断モジュール６０２に出力する。そして、感知判断モジュール６０２はタッチスクリーン手段５００から出力信号を受信してから、タッチされた位置を認知して位置情報を中央処理モジュール６０３に出力する。中央処理モジュール６０３は感知判断モジュール６０２から位置情報を受信して、タッチスクリーン１１の画面上にある所定の表示区画、即ちキーボード１１０のキーの画像が表示されている箇所がタッチされたか否かを確認する。
【００５３】
　中央処理モジュール６０３が所定の表示区画が確かにタッチされたと判断すると、ステップ３０３を実行してタッチスクリーン１１の画面上に、該表示区画（キー）に対応する所定範囲の画像（キーの画像）を拡大表示した後上、ステップ３０４〜３０６を順次に実行する。」（段落【００４９】〜【００５３】）
　　　
　以上の記載によれば、引用文献には、第２実施形態のもう一つの変形例として、以下のような発明（以下、「引用発明」という。）が開示されていると認められる。
「タッチスクリーンの画面上に、入力待ち受け箇所としてアルファベットを入力するキーボード１１０が表示され、
　画面上に表示されるキーボード１１０の各キーについて、それぞれ中心部当りに位置する第１の感知区画１１４と、その周縁部当りに位置して前記第１の感知区画１１４を囲む第２の感知区画１１５と、該いずれかのキーと隣りのキーとの間に、該隣りのキーの第３の感知区画１１６を共有する第３の感知区画１１６とが予め定められており、
　ユーザーが前記入力待ち受け箇所としてのキーボード１１０にタッチしたことを感知すると、タッチした箇所がどのキーのどの感知区画であるか否かを確認する処理を行い、
　いずれかのキーの第１の感知区画１１４がタッチされたと判断すると、タッチされた箇所（キー）に対応する処理、即ち該箇所に表示されるアルファベットを入力する処理を行い、
　いずれかのキーの第２の感知区画１１５または第３の感知区画１１６がタッチされたと判断すると、該タッチされた第２の感知区画１１５または第３の感知区画１１６が所属するキー、及び該キーについての第２の感知区画１１５または第３の感知区画１１６の隣りにあるキーの対応するキーの画像を拡大サイズでタッチされた位置の上側に表示し、該拡大したキーの画像でユーザーの確定命令を待ち、例えば、Ｆキー、及び第３の感知区画１１６を共有する隣りにあるＤキーの画像を拡大サイズでタッチされた位置の上側に表示し、該拡大したキーの画像でユーザーの確定命令を待ち、
　ユーザーがタッチスクリーン１１をタッチしたまま、いずれかの拡大画像の表示された位置へタッチが移動したことを感知されたか否かを判定し、肯定判定ならば、移動先の方にある拡大画像に対応するキーを入力する処理、例えば、いずれかの拡大画像の表示された位置、例えば、Ｆキーへ移動することを感知すると、該移動先の方にある拡大表示に対応するＦキーを入力する確定命令として認知し、該移動先にある拡大画像の表示するアルファベットＦを入力する処理を行うことを特徴とするタッチスクリーン付き電子装置。」
　　
（ｃ）対比
　本願補正発明と引用発明とを対比する。
（ア）引用発明の「タッチスクリーンの画面」は、本願補正発明の「ディスプレイ」に相当する。
　　
（イ）引用発明の「タッチスクリーンの画面上に、入力待ち受け箇所としてアルファベットを入力するキーボード１１０が表示され」る構成は、本願補正発明の「文字入力用の複数のキーを仮想キーボードとして表示する仮想キーボード表示手段」に相当するといえ、引用発明の「画面上に表示されるキーボード１１０の各キー」は、本願補正発明の「仮想キーボードにおける前記文字入力用の複数のキー」に相当するといえる。
　　　　
（ウ）引用発明の「画面上に表示されるキーボード１１０の各キーについて、それぞれ」「予め定められて」いる「中心部当りに位置する第１の感知区画１１４」の「周縁部当りに位置して前記第１の感知区画１１４を囲む第２の感知区画１１５」及び「該いずれかのキーと隣りのキーとの間」の「第３の感知区画１１６」は、本願補正発明の「キー押下検知手段が押下を検知したキーの中心から外れた予め定めた複数の領域」に相当するといえる。
　そして、引用発明の「ユーザーが前記入力待ち受け箇所としてのキーボード１１０にタッチしたことを感知すると、タッチした箇所がどのキーのどの感知区画であるか否かを確認する処理を行」う構成は、本願補正発明の「この仮想キーボード表示手段により表示された仮想キーボードにおける前記文字入力用の複数のキーの中から押下されたキーを検知するキー押下検知手段」及び「このキー押下検知手段が押下を検知したキーの中心から外れた予め定めた複数の領域のうちのどの領域が押下されたかを判別する領域判別手段」に相当するといえる。
　　
（エ）引用発明の「いずれかのキーの第２の感知区画１１５または第３の感知区画１１６がタッチされたと判断すると、該タッチされた第２の感知区画１１５または第３の感知区画１１６が所属するキー、及び該キーについての第２の感知区画１１５または第３の感知区画１１６の隣りにあるキーの対応するキーの画像を拡大サイズでタッチされた位置の上側に表示」する構成は、本願補正発明の「前記文字入力用の複数のキーの配置との関係で前記領域判別手段で判別した領域に隣接するキーがあるときこれを特定する隣接キー特定手段」及び「この隣接キー特定手段により特定されたキーと前記キー押下検知手段により検知されたキーとを拡大した形で表示する拡大表示手段」に相当するといえる。
　　
（オ）引用発明の「ユーザーがタッチスクリーン１１をタッチしたまま、いずれかの拡大画像の表示された位置へタッチが移動したことを感知されたか否かを判定し、肯定判定ならば、移動先の方にある拡大画像に対応するキーを入力する処理、例えば、いずれかの拡大画像の表示された位置、例えば、Ｆキーへ移動することを感知すると、該移動先の方にある拡大表示に対応するＦキーを入力する確定命令として認知し、該移動先にある拡大画像の表示するアルファベットＦを入力する処理を行う」構成は、本願補正発明の「この拡大表示手段で拡大表示されたキーのいずれかを押下したときその座標位置から入力されたキーを特定する入力キー特定手段」に相当するといえる。
　　
（カ）引用発明の「いずれかのキーの第１の感知区画１１４がタッチされたと判断すると、タッチされた箇所（キー）に対応する処理、即ち該箇所に表示されるアルファベットを入力する処理を行」う構成は、本願補正発明の「前記領域判別手段で判別した領域に隣接するキーがないとき、前記キー押下検知手段によって検知したキーを入力されたキーとして特定する隣接キー不存在時キー特定手段」と「判別した領域が特定の領域のとき、前記キー押下検知手段によって検知したキーを入力されたキーとして特定するキー特定手段」である点で共通するといえる。
　　　
（キ）引用発明の「タッチスクリーン付き電子装置」は、本願補正発明の「文字入力装置」に相当するといえる。
　　　　　　　
　したがって、本願補正発明の用語を用いて表現すると両者は、
「ディスプレイと、
　このディスプレイに文字入力用の複数のキーを仮想キーボードとして表示する仮想キーボード表示手段と、
　この仮想キーボード表示手段により表示された仮想キーボードにおける前記文字入力用の複数のキーの中から押下されたキーを検知するキー押下検知手段と、
　このキー押下検知手段が押下を検知したキーの中心から外れた予め定めた複数の領域のうちのどの領域が押下されたかを判別する領域判別手段と、
　前記文字入力用の複数のキーの配置との関係で前記領域判別手段で判別した領域に隣接するキーがあるときこれを特定する隣接キー特定手段と、
　この隣接キー特定手段により特定されたキーと前記キー押下検知手段により検知されたキーとを拡大した形で表示する拡大表示手段と、
　この拡大表示手段で拡大表示されたキーのいずれかを押下したときその座標位置から入力されたキーを特定する入力キー特定手段と、
　判別した領域が特定の領域のとき、前記キー押下検知手段によって検知したキーを入力されたキーとして特定するキー特定手段
とを具備することを特徴とする文字入力装置。」
で一致するものであり、次の点で相違している。
　
＜相違点＞　　　
　本願補正発明は、キー押下検知手段が押下を検知したキーの中心から外れた予め定めた複数の領域のうちのどの領域が押下されたかを判別する「前記領域判別手段で判別した領域に隣接するキーがないとき、前記キー押下検知手段によって検知したキーを入力されたキーとして特定する隣接キー不存在時キー特定手段」であるのに対し、引用発明は、「キーボード１１０の各キーについて、それぞれ中心部当りに位置する第１の感知区画１１４」が「タッチされたと判断すると、タッチされた箇所（キー）に対応する処理、即ち該箇所に表示されるアルファベットを入力する処理を行」うキー特定手段である点。
　　　
（ｄ）当審の判断
　上記相違点について検討する。
　本願補正発明の「前記領域判別手段で判別した領域に隣接するキーがないとき、前記キー押下検知手段によって検知したキーを入力されたキーとして特定する隣接キー不存在時キー特定手段」の「前記領域判別手段で判別した領域に隣接するキーがないとき」とは、具体的にどのようなときであるのか必ずしも明確ではないので、本願明細書の発明の詳細な説明の記載を参照すると、キー押下検知手段によって検知したキーを入力されたキーとして特定することに関し、「ここで、ユーザが「Ｓ」キーのほぼ中央の領域１２１を指で押下したものとする。この場合は、座標検知部１０７が領域１２１の座標を検知して、キー内領域判別部１１１が「Ｓ」キーの内部領域のみ押下されたと判別する。このため、「Ｓ」キーが押されたことが直ちに確定する。」（段落【００３１】）、「この場合、４つの直線１４２、１４３、１４４および１４５で囲まれた中心領域を入力文字確定領域１４６とする。この入力文字確定領域１４６の内部が座標検知部１０７で検知されれば、文字の入力が一発で確定するものとする。この例では、「Ｓ」キーの場合を示しているので、「Ｓ」キーの入力がその押下時点で確定することになる。」（段落【００５５】）、「キー内領域判別部１１１は、押下された箇所の座標を基にして、その座標が所定の文字キーにおける図１１に示した入力文字確定領域１４６を含んでいるかをチェックする（ステップＳ２０３）。押下された箇所のサイズが、指やポインタを使用したときに通常生じるサイズである場合、その箇所の一部または全部の座標が入力文字確定領域１４６の内部に存在すれば（Ｙ）、ユーザがその文字キーを入力した可能性が高い。そこで、この場合には、入力文字をその文字キーの示す文字として確定する（ステップＳ２０４）。」（段落【００６４】）と記載されているが、領域判別手段で判別した「キーの中心から外れた予め定めた複数の領域のうち」のいずれかの「領域」に「隣接するキーがないとき」キー押下検知手段によって検知したキーを入力されたキーとして特定するような記載はない。
　そうすると、本願補正発明の「前記領域判別手段で判別した領域に隣接するキーがないとき、前記キー押下検知手段によって検知したキーを入力されたキーとして特定する隣接キー不存在時キー特定手段」の「隣接するキーがない」「領域判別手段で判別した領域」とは、「キーの中心から外れた予め定めた複数の領域のうち」のいずれかの「領域」であると限定して解釈することはできない。
　引用発明は、「いずれかのキーの第１の感知区画１１４がタッチされたと判断すると、タッチされた箇所（キー）に対応する処理、即ち該箇所に表示されるアルファベットを入力する処理を行い、いずれかのキーの第２の感知区画１１５または第３の感知区画１１６がタッチされたと判断すると、該タッチされた第２の感知区画１１５または第３の感知区画１１６が所属するキー、及び該キーについての第２の感知区画１１５または第３の感知区画１１６の隣りにあるキーの対応するキーの画像を拡大サイズでタッチされた位置の上側に表示し、該拡大したキーの画像でユーザーの確定命令を待」つものであるから、「第１の感知区画１１４」には、隣にキーがなく、「第２の感知区画１１５または第３の感知区画１１６」には、隣りにキーがあるとするものともいえる。
　そうすると、引用発明において、「いずれかのキーの第１の感知区画１１４がタッチされたと判断された」ときを領域判別手段が判別した領域に隣接するキーがないときとすることにより、「前記領域判別手段で判別した領域に隣接するキーがないとき、前記キー押下検知手段によって検知したキーを入力されたキーとして特定する」ようにして本願補正発明を構成することは、当業者が容易になし得ることである。
　　
　また、本願補正発明の作用効果も、引用発明から、当業者であれば予想できる範囲内のものである。
　　
（ｅ）結論
　そうすると、本願補正発明は、引用発明に基づいて当業者が容易に発明をすることができたものであるから、特許法第２９条第２項の規定により、特許出願の際独立して特許を受けることができないものである。
　したがって、本件補正は、特許法第１７条の２第６項において準用する同法第１２６条第７項の規定に違反するので、同法第１５９条第１項において読み替えて準用する同法第５３条第１項の規定により却下すべきものである。
 　
第３　本願発明
　上記のとおり、上記本件補正は却下されたので、本願請求項１に係る発明（以下、「本願発明」という。）は、平成２３年１２月１９日に提出された手続補正書における特許請求の範囲の請求項１に記載された事項により特定される、以下のとおりのものである。
「ディスプレイと、
　このディスプレイに文字入力用の複数のキーを仮想キーボードとして表示する仮想キーボード表示手段と、
　この仮想キーボード表示手段により表示された仮想キーボードにおける前記文字入力用の複数のキーの中から押下されたキーを検知するキー押下検知手段と、
　このキー押下検知手段が押下を検知したキーにおける予め定めた複数の領域のどの位置が押下されたかを判別する領域判別手段と、
　前記文字入力用の複数のキーの配置との関係で前記領域判別手段で判別した領域に隣接するキーがあるときこれを特定する隣接キー特定手段と、
　この隣接キー特定手段により特定されたキーと前記キー押下検知手段により検知されたキーとを拡大した形で表示する拡大表示手段と、
　この拡大表示手段で拡大表示されたキーのいずれかを押下したときその座標位置から入力されたキーを特定する入力キー特定手段と、
　前記領域判別手段で判別した領域に隣接するキーがないとき、前記キー押下検知手段によって検知したキーを入力されたキーとして特定する隣接キー不存在時キー特定手段
とを具備することを特徴とする文字入力装置。」
　
第４　引用文献
　原査定の拒絶理由に引用された引用文献及びその記載事項は、前記「第２　（２）（ｂ）」に記載したとおりである。
　
第５　対比・判断
　本願発明は、前記「第２」で検討した本願補正発明の「このキー押下検知手段が押下を検知したキーの中心から外れた予め定めた複数の領域のうちのどの領域が押下されたかを判別する領域判別手段」を、「このキー押下検知手段が押下を検知したキーにおける予め定めた複数の領域のどの位置が押下されたかを判別する領域判別手段」とするものである。
　そうすると、本願発明の構成要件を全て含み、さらに限定したものに相当する本願補正発明が前記「第２」に記載したとおり、引用発明に基づいて、当業者が容易に発明をすることができたものであるから、本願発明も同様の理由により、引用発明に基づいて、当業者が容易に発明をすることができたものである。
　　
第６　むすび
　以上のとおり、本願発明は、引用発明に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。
　
　なお、請求人は前置審尋の回等書において、 
「請求項１、請求項４、および請求項５のそれぞれに記載の「前記領域判別手段で判別した領域に隣接するキーがないとき、前記キー押下検知手段によって検知したキーを入力されたキーとして特定する」は誤記に相当すると考え、この文言を削除いたします。
一方、請求項１、請求項４、および請求項５のそれぞれにおける「キーの中心から外れた予め定めた複数の領域」の文言は、引用文献１との差を明確化できていませんでした。そこで、「キーの中心から外れた予め定めた複数の領域」を「キーの中心から外れた予め定めた上下左右斜めの複数の領域」とする補正を行います。」及び「引用文献１の第２の感知区画１１５，第３の感知区画１１６は左右だけであるが、本発明は上下左右斜めの隣接キーとの押し間違いも救済できるという効果があります。
「キーの中心から外れた予め定めた複数の領域」を「キーの中心から外れた予め定めた上下左右斜めの複数の領域」とする補正に係る内容は、引用文献を如何様に組み合わせた所で開示されず示唆もされないと考えます。」と述べている。
　しかしながら、引用文献には、段落【００４５】に「画面上に表示されるキーボード１１０の各キーについて、それぞれ中心部当りに位置する第１の感知区画１１４と、その周縁部当りに位置して前記第１の感知区画１１４を囲む第２の感知区画１１５」「とが予めに定められている。」と記載されており、引用文献の「第２の感知区画１１５」を「キーの中心から予め定めた上下左右斜めの複数の領域」とすることは当業者が容易なし得る設計事項である。したがって、上記主張は採用できない。